(57)【要約】      （修正有）【課題】部材を増やすことなく、画像読取部と、原稿給送部との間のケーブルの機内配線を実現でき、部品コストの増大や組立作業性の低化を防ぐことができる画像読取装置を提供する。【解決手段】画像読取部101に設けられ、内部にケーブル302が挿通されるケーブルガイド部303と、ＡＤＦ201に設けられ、ケーブルガイド部303が挿入される窪み部304とは、それぞれを形成する壁面303ａ，304ａのうち挿通されるケーブル302よりも開放端部側の壁面同士がＡＤＦ201が画像読取部101に対して閉じられた第一の姿勢、ＡＤＦ201がヒンジ部材の回動中心を中心に回動して画像読取部101に対して開かれた第二の姿勢、第一の姿勢と略平行な姿勢で画像読取部101に対して持ち上げられた第三の姿勢の何れにおいてもオーバーラップしていることを特徴とする。【選択図】図６
2018050310.tif 000002
【特許請求の範囲】
【請求項１】
原稿画像を読み取る画像読取部と、
前記画像読取部に対してヒンジ部材を介して回動可能に設けられ、前記画像読取部に原稿を給送する原稿給送部と、
前記原稿給送部と前記画像読取部とを電気的に接続するケーブルと、
前記画像読取部に設けられ、内部に前記ケーブルが挿通される突起状のケーブルガイド部と、
前記原稿給送部に設けられ、前記ケーブルガイド部が挿入される窪み部と、
を有し、
前記原稿給送部は、
前記原稿給送部が前記画像読取部に対して閉じられた第一の姿勢と、
前記原稿給送部が前記ヒンジ部材の回動中心を中心に回動して前記回動中心と反対側の前記原稿給送部の開放端部が前記画像読取部の上面に対して開かれた第二の姿勢と、
前記原稿給送部が前記第一の姿勢と略平行な姿勢で前記画像読取部の上面に対して持ち上げられた第三の姿勢と、
に変更可能に設けられ、
前記ケーブルガイド部と前記窪み部とは、それぞれを形成する壁面のうち、挿通される前記ケーブルよりも前記開放端部側の壁面同士が前記いずれの姿勢においてもオーバーラップしていることを特徴とする画像読取装置。
【請求項２】
前記ヒンジ部材は、前記第三の姿勢における前記原稿給送部の前記画像読取部に対する上限位置を規制するストッパ部を有することを特徴とする請求項１に記載の画像読取装置。
【請求項３】
前記ケーブルガイド部と前記窪み部との前記開放端部側の壁面は、前記ストッパ部によって規制された上限位置においてオーバーラップしていることを特徴とする請求項２に記載の画像読取装置。
【請求項４】
前記原稿給送部が前記第二の姿勢に回動したとき、前記窪み部を形成する壁面が前記ケーブルガイド部を形成する壁面に干渉しないように形成されることを特徴とする請求項１〜３のいずれか１項に記載の画像読取装置。
【請求項５】
前記ケーブルガイド部を形成する壁面は、前記窪み部を形成する壁面が前記回動中心を中心に回動する際の軌跡よりも内側に形成されることを特徴とする請求項４に記載の画像読取装置。
【請求項６】
前記原稿給送部が前記第二の姿勢に変更されたとき、前記窪み部を形成する壁面が前記ケーブルガイド部を形成する壁面に当接して前記原稿給送部の最大開放角度が規制されることを特徴とする請求項１〜５のいずれか１項に記載の画像読取装置。
【請求項７】
前記ヒンジ部材は、前記原稿給送部を回転自在に支持するよう間隔をおいて２つ設けられ、前記ケーブルガイド部と前記窪み部とは、前記２つのヒンジ部材の間に設けられることを特徴とする請求項１〜６のいずれか１項に記載の画像読取装置。
【発明の詳細な説明】
【技術分野】
【０００１】
本発明は、複写機、ファクシミリ装置、イメージスキャナ等に用いられる画像読取装置に関する。
【背景技術】
【０００２】
画像読取装置においては、トレイに積載された原稿を自動的に給送して読み取る自動原稿給送装置（ＡＤＦ；Auto Document Feeder）が一般に用いられるようになってきている。
【０００３】
自動原稿給送装置（以下、「ＡＤＦ」という）はその内部にモータやセンサ等の電気部品を有する。電気部品への給電、制御信号の伝送等に必要なケーブルは、一般にＡＤＦの下部に配置されるリーダ部から配線される。電気的安全性の確保、装置サイズの小型化、美観の観点からケーブルは装置の外側を通ることなく機内を通すことが要求されている。
【０００４】
特許文献１はケーブルを損傷することなく保持するケーブルガイドを提供する。そのために第１及び第２ガイド部材によるＡＤＦとリーダ部とを接続するケーブルを内部に挿通するケーブルガイドを形成する。更に、第２ガイド部材の固定端をＡＤＦのヒンジ部材の回動中心軸と一致させることが記載されている。
【先行技術文献】
【特許文献】
【０００５】
【特許文献１】特開２００９−２１６８２８号公報
【発明の概要】
【発明が解決しようとする課題】
【０００６】
しかしながら、特許文献１では、複数の部材によりケーブルガイドを構成している。このため部品コストが増大する。また、リーダ部とＡＤＦとの両方に回動支点を持つためリーダ部とＡＤＦとの合体後に回動支点を固定する作業が必要となり組立作業性が良くないという問題があった。
【０００７】
本発明は前記課題を解決するものであり、その目的とするところは、部材を増やすことなく、画像読取部と、原稿給送部との間のケーブルの機内配線を実現でき、部品コストの増大や組立作業性の低化を防ぐことができる画像読取装置を提供するものである。
【課題を解決するための手段】
【０００８】
前記目的を達成するための本発明に係る画像読取装置の代表的な構成は、原稿画像を読み取る画像読取部と、前記画像読取部に対してヒンジ部材を介して回動可能に設けられ、前記画像読取部に原稿を給送する原稿給送部と、前記原稿給送部と前記画像読取部とを電気的に接続するケーブルと、前記画像読取部に設けられ、内部に前記ケーブルが挿通される突起状のケーブルガイド部と、前記原稿給送部に設けられ、前記ケーブルガイド部が挿入される窪み部と、を有し、前記原稿給送部は、前記原稿給送部が前記画像読取部に対して閉じられた第一の姿勢と、前記原稿給送部が前記ヒンジ部材の回動中心を中心に回動して前記回動中心と反対側の前記原稿給送部の開放端部が前記画像読取部の上面に対して開かれた第二の姿勢と、前記原稿給送部が前記第一の姿勢と略平行な姿勢で前記画像読取部の上面に対して持ち上げられた第三の姿勢と、に変更可能に設けられ、前記ケーブルガイド部と前記窪み部とは、それぞれを形成する壁面のうち、挿通される前記ケーブルよりも前記開放端部側の壁面同士が前記いずれの姿勢においてもオーバーラップしていることを特徴とする。
【発明の効果】
【０００９】
上記構成によれば、部材を増やすことなく、画像読取部と、原稿給送部との間のケーブルの機内配線を実現でき、部品コストの増大や組立作業性の低化を防ぐことができる。
【図面の簡単な説明】
【００１０】
【図１】本発明に係る画像読取装置の第１実施形態の構成を示す断面説明図である。
【図２】（ａ）〜（ｃ）は原稿給送部の第一〜第三の姿勢を示す斜視説明図である。
【図３】ヒンジ部材の挿入部に設けられた係止部と、画像読取部に設けられた穴部の壁面に突出して設けられたストッパ部とが係合する様子を示す断面説明図である。
【図４】第１実施形態の原稿給送部の第一の姿勢を示す断面説明図である。
【図５】第１実施形態の原稿給送部の第二の姿勢を示す断面説明図である。
【図６】第１実施形態の原稿給送部の第三の姿勢を示す断面説明図である。
【図７】第１実施形態の制御系の構成を示すブロック図である。
【図８】第１実施形態のケーブルガイド部と、窪み部との構成を示す斜視説明図である。
【図９】本発明に係る画像読取装置の第２実施形態の構成を示す断面説明図である。
【図１０】第２実施形態の制御系の構成を示すブロック図である。
【図１１】第２実施形態の原稿給送部の第二の姿勢を示す断面説明図である。
【図１２】比較例のヒンジ部材の構成を示す斜視説明図である。
【発明を実施するための形態】
【００１１】
図により本発明に係る画像読取装置の一実施形態を具体的に説明する。
【実施例１】
【００１２】
＜画像読取装置＞
先ず、図１〜図８を用いて本発明に係る画像読取装置の第１実施形態の構成について説明する。図１は本実施形態の画像読取装置４の概略構成を示す断面図である。図１及び図２において、画像読取装置４は、装置本体の上部に原稿１の原稿画像を読み取る画像読取部101を有する。
【００１３】
更に、画像読取部101の上面に対してヒンジ部材224，225を介して原稿給送部となる自動原稿給送装置（ＡＤＦ；Auto Document Feeder、以下、「ＡＤＦ」という）201が回動可能に設けられる。ＡＤＦ201は、画像読取部101の上面にシート状の原稿１を自動的に給送する。
【００１４】
原稿１の画像を読み取る光学ボックス102には原稿１に光を照射する光源103と、原稿１からの拡散光を導くミラー104を有する。更に、光を結像させるレンズ105と、結像された光を光電変換して電気的に読み取る画像読取手段となる光電変換素子106が搭載されている。
【００１５】
光学ボックス102はモータ107及びタイミングベルト108によって画像読取部101の内部を往復移動可能に支持されている。そして、画像読取部101の上面に設けられた透明な原稿台ガラス109上に載置された原稿１の下面を移動走査して原稿画像を読み取る。
【００１６】
透明な流し読みガラス110は原稿台ガラス109に隣接して設けられている。そして、光学ボックス102が流し読みガラス110の直下に静止され、ＡＤＦ201によって自動給送されている原稿１の下面を流し読みガラス110により支持して原稿画像を読み取る際に用いる。
【００１７】
＜原稿給送部＞
次に原稿給送部となるＡＤＦ201の構成について説明する。202はシート状の原稿１の束を積載する原稿トレイ、203は原稿トレイ202上に積載された原稿１をＡＤＦ201内に送り込むピックアップローラである。204は分離ローラ、223は分離パッド、205〜209は原稿を給送する給送ローラ、210は給送ローラ205〜209により給送されてきた原稿１を排出する排出ローラである。212は排出ローラ210によって排出された原稿１を積載する排出トレイである。２はピックアップローラ203、分離ローラ204を回転駆動する分離モータ、３は給送ローラ205〜209及び排出ローラ210を回転駆動する給送モータである。
【００１８】
＜制御部＞
図７は本実施形態の制御系の構成を示すブロック図である。図７において、401は画像読取装置４全体の動作を制御するメイン制御部である。402は画像読取部101を制御するスキャナ制御部、403はＡＤＦ201を制御するＡＤＦ制御部である。スキャナ制御部402はモータ107、光学ボックス102内の光源103、光電変換素子106の制御を行う。ＡＤＦ制御部403は、モータ制御部404を有しており、モータ制御部404は分離モータ２及び給送モータ３の制御を行う。
【００１９】
原稿台ガラス109上に載置された原稿１の原稿画像を読み取る際には、モータ107及びタイミングベルト108により光学ボックス102を移動させる。更に、光源103から原稿１の原稿面に光を照射し、原稿１の原稿面上で拡散した光をミラー104、レンズ105の作用により光電変換素子106に結像させ、光電変換素子106によって原稿画像を電気的に読み取る。
【００２０】
一方、ＡＤＦ201によって給送されるシート状の原稿１の原稿画像を読み取る際には、先ずモータ107及びタイミングベルト108によって光学ボックス102を流し読みガラス110の直下に移動して静止させる。そして、分離モータ２を回転駆動してピックアップローラ203を回転させ、原稿トレイ202上に積載されたシート状の原稿１をＡＤＦ201内に送り込む。
【００２１】
分離ローラ204及び分離パッド223によって原稿１は１枚ずつに分離給送される。そして、給送モータ３が正回転することによって回転駆動される給送ローラ205〜209及び排出ローラ210の順で原稿１を給送する。原稿１の原稿画像は、その過程で光学ボックス102によって電気的に読み取られ、排出ローラ210によって排出トレイ212上に排出される。
【００２２】
＜原稿給送部の姿勢＞
図２は画像読取部101に対するＡＤＦ201の姿勢を示す。図２（ａ）はＡＤＦ201が画像読取部101の上面に対して閉じられた第一の姿勢を示す。画像読取部101によって原稿画像を読み取る際には、ＡＤＦ201は、図２（ａ）に示すように画像読取部101に対して閉じられる。
【００２３】
図２（ｂ）はＡＤＦ201がヒンジ部材224，225の回動中心350を中心に回動して画像読取部101の上面に対して開かれた第二の姿勢を示す。原稿台ガラス109上に原稿１を載置する際、或いは、原稿台ガラス109上に載置された原稿１を取り出す際にはＡＤＦ201は以下の通りである。即ち、図２（ｂ）に示すように、ヒンジ部材224，225の働きによってＡＤＦ201の回動中心350と反対側の開放端部は画像読取部101の上面に対して開放される。尚、図２（ｂ）に示されるケーブルガイド部303（図５），704（図11）については後述する。
【００２４】
図２（ｃ）はＡＤＦ201が図２（ａ）に示す第一の姿勢と略平行な姿勢で画像読取部101の上面に対して上方に持ち上げられた第三の姿勢を示す。原稿台ガラス109上に厚い原稿１、例えば、本のような原稿１が載置されてＡＤＦ201が画像読取部101の上面に対して閉じられる。そのときには、図２（ｃ）に示すように、ＡＤＦ201が画像読取部101の上面に対して原稿１の厚み分、略平行に持ち上げられた姿勢を取ることもできる。ＡＤＦ201は図２（ａ）〜（ｃ）に示すように、第一の姿勢〜第三の姿勢に変更可能に設けられる。
【００２５】
図２（ｃ）に示す第三の姿勢でＡＤＦ201が画像読取部101の上面に対して上方に持ち上げられたときのヒンジ部材224，225の構成を図３に示す。図３においてヒンジ部材224，225の脚部となる挿入部901が画像読取部101に設けられた穴部801内に昇降可能に挿入されている。穴部801の壁面101ａの上端部には穴部801側に突出した係止部101ｂが設けられており、ヒンジ部材224，225の脚部となる挿入部901の下端部には係止部101ｂに対向して突出したストッパ部901ａが設けられている。
【００２６】
ストッパ部901ａはヒンジ部材224，225の脚部となる挿入部901に突出して設けられる。そして、挿入部901が昇降自在に挿入される穴部801の壁面101ａの上端部に突出した係止部101ｂに当接する。これによりＡＤＦ201が図２（ｃ）に示す第三の姿勢における画像読取部101の上面とＡＤＦ201の下面との間の間隔、即ち、図６に示す最大持ち上がり高さＨｍを規制する。
【００２７】
即ち、ヒンジ部材224，225はＡＤＦ201が図２（ｃ）に示す第三の姿勢におけるＡＤＦ201の画像読取部101に対する上限位置を規制するストッパ部901ａを有する。
【００２８】
＜ケーブル＞
図４〜図６は図１のＤ−Ｄ断面図であり、それぞれＡＤＦ201の第一〜第三の姿勢を示す。図４〜図６において、画像読取部101の内部にはスキャナ制御部402及びＡＤＦ制御部403を有する制御基板301が設けられている。ＡＤＦ201の内部に設けられる分離モータ２及び給送モータ３は、画像読取部101の内部に設けられる制御基板301に設けられるモータ制御部404によって回転駆動が制御される。分離モータ２及び給送モータ３と制御基板301とはケーブル302により電気的に接続されている。
【００２９】
図８は、ケーブルガイド部303と窪み部304の関係を説明するために、ＡＤＦ201の一部を省略し、ケーブルガイド部303及び窪み部304がむき出しになった状態を示した斜視図である。図２（ｂ）に示すように、２つのヒンジ部材224，225はＡＤＦ201を画像読取部101に対して回転自在に支持するように所定の間隔をおいて設けられる。
【００３０】
ケーブルガイド部303及び窪み部304は２つのヒンジ部材224，225の間に設けられている。そのため、ケーブルガイド部303及び窪み部304は、それぞれを形成する壁面303ａ，304ａが以下の通りである。壁面303ａ，304ａのうち挿通されるケーブル302よりもＡＤＦ201の開放端部側の壁面同士がＡＤＦ201の第一の姿勢乃至第三の姿勢のいずれの姿勢においてもオーバーラップするよう回動中心350近傍の小さなスペースに収めることができる。
【００３１】
画像読取部101の上面側には、図８に示すように、内部にケーブル302が挿通される中空で突起状のケーブルガイド部303が上方に突出して設けられている。ＡＤＦ201と画像読取部101とをケーブル302により電気的に接続する。分離モータ２及び給送モータ３を制御するため、ケーブル302は画像読取部101の内部に設けられた制御基板301からケーブルガイド部303の内部を通り、ＡＤＦ201の内部に入って、分離モータ２及び給送モータ３に接続される。
【００３２】
ＡＤＦ201の下面側には、図８に示すように、画像読取部101の上面側に設けられたケーブルガイド部303に対応して、該ケーブルガイド部303の外径よりも大きな内径を有してケーブルガイド部303が挿入される窪み部304が設けられている。
【００３３】
図２（ｂ）に示すように、ＡＤＦ201がヒンジ部材224，225の回動中心350を中心に回動してＡＤＦ201の開放端部が画像読取部101の上面に対して開かれた第二の姿勢にある。そのとき、図５に示すように、ＡＤＦ201の下面側に設けられた窪み部304を形成する壁面304ａがケーブルガイド部303の壁面303ａに接触して干渉しないように形成される。
【００３４】
図５に示すＡＤＦ201の最大開放時に窪み部304を形成する図５の左側に示す画像読取装置４の背面側の背面側壁面304ａ1がケーブルガイド部303に衝突しないようにする。そのためにケーブルガイド部303の背面側壁面303ａ1から図４に示す最大開放角度θｍの範囲には窪み部304を形成する背面側壁面304ａ1を配置できない。このため背面側壁面304ａ1の下方延長上には空隙部305が設けられている。
【００３５】
一端が画像読取部101の内部に設けられた制御基板301に接続されたケーブル302は、画像読取部101の内部空間に連通されるケーブルガイド部303の内部を通る。更に、窪み部304の壁面304ａの一部を貫通する貫通穴304ｂを通ってＡＤＦ201の内部に導かれて分離モータ２及び給送モータ３に接続されている。このとき、窪み部304を挿通するケーブル302よりもＡＤＦ201の開放端部側の前面側壁面304ａ2は、同じくケーブル302よりもＡＤＦ201の開放端部側に位置するケーブルガイド部303の前面側先端部303ｂとオーバーラップしている。
【００３６】
これにより、ＡＤＦ201の開放端部が画像読取部101の上面に対して開かれた第二の姿勢にあるときでもケーブル302は開放端部側（装置外部）に露出することがない。従って、電気的安全性やユーザに対する美観を保つことが可能である。
【００３７】
ケーブルガイド部303の図５の右側に示す画像読取装置４の前面（開放端部）側の前面側先端部303ｂは以下の形状を有する。即ち、ＡＤＦ201がヒンジ部材224，225の回動中心350を中心に回動して画像読取部101に対して開放されるときの回動中心350を中心とする曲率半径を有する円弧状で形状されている。
【００３８】
ＡＤＦ201の下面側に設けられた窪み部304がヒンジ部材224，225の回動中心350を中心にＡＤＦ201と一体的に回動する際の回動軌跡ａの内側に、ケーブルガイド部303の前面側先端部303ｂが円弧状で形成されている。このため、ＡＤＦ201が図２（ｂ）に示す第二の姿勢に回動したとき窪み部304を形成する図５の右側に示すＡＤＦ201の開放端部側の前面側壁面304ａ2の回動軌跡ａにケーブルガイド部303を形成する壁面が干渉することがない。
【００３９】
即ち、ケーブルガイド部303を形成する壁面303ａは、窪み部304を形成する壁面304ａがヒンジ部材224，225の回動中心350を中心にＡＤＦ201と一体的に回動する際の回動軌跡ａよりも内側に形成される。
【００４０】
これによりＡＤＦ201を開放したときにケーブルガイド部303と窪み部304との間にできる隙間351を小さくすることができ、異物が侵入するのを防止することができる。
【００４１】
図２（ｃ）に示すように、ＡＤＦ201は画像読取部101に対して略平行に持ち上げられた第三の姿勢を取ることもできる。図６はＡＤＦ201が第三の姿勢にあるときの図１のＤ−Ｄ断面図である。図６に示すように、ＡＤＦ201が画像読取部101に対して略平行に持ち上げられる最大持ち上がり高さＨｍは以下の通りである。
【００４２】
即ち、図３に示すように、ヒンジ部材224，225の脚部に設けられた挿入部901のストッパ部901ａと、係止部101ｂとが当接することにより最大持ち上がり高さＨｍが規制される。係止部101ｂは画像読取部101の上面側に設けられた穴部801の壁面101ａの上端部に突出して設けられる。
【００４３】
図６に示すように、画像読取部101の上面側に突出して設けられたケーブルガイド部303がＡＤＦ201の下面側に設けられた窪み部304内に挿入される挿入高さＨｉは、最大持ち上がり高さＨｍよりも大きくなるように設定されている。
【００４４】
即ち、ケーブルガイド部303と、窪み部304との開放端部側の壁面303ａ，304ａは、ストッパ部901ａによって規制されたＡＤＦ201の上限位置においてオーバーラップしている。
【００４５】
このため本等の厚みの厚い原稿１に対応してＡＤＦ201が画像読取部101に対して略平行に持ち上げられた際にもケーブルガイド部303の中空内部を通るケーブル302は開放端部側の装置外部に露出することがない。このため電気的安全性やユーザに対する美観を保つことが可能となる。
【００４６】
本実施形態では、画像読取装置４の画像読取部101の上面側に突出して設けられたケーブルガイド部303を、ＡＤＦ201の下面側に設けた窪み部304内に挿入する。更に、ケーブルガイド部303の中空内部にケーブル302を通して画像読取部101とＡＤＦ201とを電気的に接続する構成とした。
【００４７】
これにより部材を増やすことなく画像読取部101とＡＤＦ201との間でケーブル302の機内配線を実現でき、部品コストの増大や組立作業性の低化を防ぐことができる。
【００４８】
本実施形態では画像読取部101内に設けた制御基板301からＡＤＦ201内に設けた分離モータ２及び給送モータ３に接続するケーブル302を以下の通りとした。即ち、画像読取部101の上面側に突出して設けられたケーブルガイド部303の中空内部を通す構成とした。
【００４９】
しかしながら、ケーブル302の構成は、これに限定される必要はなく、例えば、画像読取装置４本体には制御基板301が設けられない場合がある。その場合は、画像読取装置４が接続される複写機やファクシミリ装置等の全体を制御する制御装置からＡＤＦ201内部に直接配線されたケーブルを通すような場合にも適用出来る。また、モータだけでなく、ＡＤＦ201内に設けられた各種のセンサに接続する束線からなるケーブルがある場合にも同様に適用出来る。
【実施例２】
【００５０】
次に、図９〜図12を用いて本発明に係る画像読取装置の第２実施形態の構成について説明する。尚、前記第１実施形態と同様に構成したものは同一の符号、或いは符号が異なっても同一の部材名を付して説明を省略する。
【００５１】
前記第１実施形態では、ＡＤＦ201が図２（ｂ）に示す第二の姿勢に回動する。そのとき、図５に示すように、ＡＤＦ201の下面側に設けられた窪み部304を形成する壁面304ａが画像読取部101の上面側に突出して設けられたケーブルガイド部303の壁面303ａに接触して干渉しないように形成した。
【００５２】
本実施形態では、図11に示すように、原稿画像を読み取る画像読取部101に対してヒンジ部材224，225を介して回動可能に設けられ、画像読取部101に原稿１を給送する原稿給送部となるＡＤＦ201が第二の姿勢に回動する。
【００５３】
そのとき、ＡＤＦ201の下面側に設けられた窪み部705を形成する壁面705ａのうちの図11の左側に示す画像読取装置４の背面側の背面側壁面705ａ1が背面側壁面704ａ1に当接する。背面側壁面704ａ1は、原稿画像を読み取る画像読取部101の上面側に突出して設けられたケーブルガイド部704の壁面704ａのうちの図11の左側に示す画像読取装置４の背面側の壁面である。これによりＡＤＦ201の最大開放角度θｍが規制される。
【００５４】
即ち、ＡＤＦ201が図２（ｂ）に示す第二の姿勢に変更されたとき、窪み部705を形成する壁面705ａがケーブルガイド部704を形成する壁面704ａに当接してＡＤＦ201の最大開放角度θｍが規制される。
【００５５】
本実施形態では、前記第１実施形態の構成に加えて、図９に示すように、ＡＤＦ201の内部に原稿１の裏面側の原稿画像を読み取る第二光学ボックス501を設ける。そして、原稿１を一度給送するだけで原稿１の表裏面の原稿画像を読み取ることが可能な構成となっている。
【００５６】
図９において、501はＡＤＦ201内部に設けられ、給送されてくる原稿１の裏面側の原稿画像を読み取る第二光学ボックスである。第二光学ボックス501には原稿１に光を照射する光源502、原稿１からの拡散光を導くミラー503、光を結像させるレンズ504、結像された光を光電変換して電気的に読み取る光電変換素子505が搭載されている。
【００５７】
図１０は本実施形態の画像読取装置４の制御系の構成を示すブロック図である。図１０において、601は画像読取装置４の動作を制御するメイン制御部、602は画像読取部101を制御するスキャナ制御部、603はＡＤＦ201を制御するＡＤＦ制御部である。
【００５８】
スキャナ制御部602は、モータ107、光学ボックス102内の光源103、光電変換素子106の制御を行う。ＡＤＦ制御部603は、モータ制御部604及び第二光学ボックス制御部605を有しており、モータ制御部604は、ＡＤＦ201の内部に設けられる分離モータ２及び給送モータ３の制御を行う。第二光学ボックス制御部605は、第二光学ボックス501が有する光源502及び光電変換素子505の制御を行う。
【００５９】
前記第１実施形態と同様に原稿１の給送を行って原稿画像の読み取り動作を行う。本実施形態においては、ＡＤＦ201による原稿１の給送の過程で光学ボックス102により原稿１の表面側（図９の原稿トレイ202上の原稿１の上面側）の原稿画像を読み取る。更に、第二光学ボックス501により原稿１の裏面側（図９の原稿トレイ202上の原稿１の下面側）の原稿画像を読み取る。
【００６０】
図11はＡＤＦ201がヒンジ部材224，225の回動中心350を中心に画像読取部101に対して最大開放角度θｍに回動して第二の姿勢にあるときの図９のＦ−Ｆ断面図である。本実施形態のＡＤＦ201の姿勢も前記第１実施形態と同様に図２（ａ）に示すように、ＡＤＦ201が画像読取部101に対して閉じられた第一の姿勢を有する。
【００６１】
更に、図２（ｂ）に示すように、ＡＤＦ201がヒンジ部材224，225の回動中心350を中心に回動して画像読取部101に対して開かれた第二の姿勢を有する。更に、図２（ｃ）に示すように、ＡＤＦ201が図２（ａ）に示す第一の姿勢と略平行な姿勢で画像読取部101に対して持ち上げられた第三の姿勢とを有する。
【００６２】
本実施形態においても図３に示して前述したように、ヒンジ部材224，225の脚部となる挿入部901の下端部にはストッパ部901ａが突出して設けられている。そして、ストッパ部901ａが画像読取部101の上面部に設けられた穴部801の壁面101ａに突出して設けられた係止部101ｂに当接する。これによりＡＤＦ201が図２（ｃ）に示す第三の姿勢における画像読取部101に対する最大持ち上がり高さＨｍを規制する。
【００６３】
ケーブルガイド部704の窪み部705に対する挿入高さＨｉは最大持ち上がり高さＨｍよりも大きくなるように設定されている。ＡＤＦ201が図２（ｂ）に示す第二の姿勢に回動したとき、窪み部705を形成する背面側の背面側壁面705ａ1がケーブルガイド部704の背面側の背面側壁面704ａ1に当接してＡＤＦ201の最大開放角度θｍが規制される。
【００６４】
ケーブルガイド部704の前面側先端部704ｂはＡＤＦ201がヒンジ部材224，225の回動中心350を中心に回動して画像読取部101に対して開放されるときの回動中心350を中心とする曲率半径を有する円弧状で形状されている。このためＡＤＦ201の下面側に設けられた窪み部705がヒンジ部材224，225の回動中心350を中心にＡＤＦ201と一体的に回動する。その際の窪み部705の図９の右側に示す画像読取装置４の前面側の前面側壁面705ａ2の回動軌跡ａにケーブルガイド部704が干渉することがない。
【００６５】
図11において、画像読取部101の内部にはスキャナ制御部602及びＡＤＦ制御部603を有する制御基板701が設けられている。ＡＤＦ201の内部に設けられた分離モータ２、給送モータ３、第二光学ボックス501の制御を制御基板701によって行う。更に、第二光学ボックス501によって読み取った原稿画像の画像信号を制御基板701で受け取り、処理を行う。
【００６６】
第二光学ボックス501の制御信号及び画像信号の伝送は、必要な線数が多いため一般にフレキシブルフラットケーブル（Flexible Flat Cable、；ＦＦＣ）703を用いて行われる。
【００６７】
分離モータ２及び給送モータ３のモータ制御のためのケーブル702及び第二光学ボックス501の制御信号及び画像信号の伝送を行うケーブル703は、ＡＤＦ201と画像読取部101とを電気的に接続する。
【００６８】
ケーブル702，703は画像読取部101内部に設けられた制御基板701から画像読取部101の内部に連通する画像読取部101の上面側に突出して設けられた突起状のケーブルガイド部704の中空内部を通る。そして、窪み部705を形成する壁面705ａを貫通する貫通穴705ｂを通ってＡＤＦ201の内部に入る。
【００６９】
そして、モータ制御のためのケーブル702は分離モータ２及び給送モータ３に接続され、第二光学ボックス501の制御信号及び画像信号の伝送のためのケーブル703は第二光学ボックス501にそれぞれ接続される。
【００７０】
ＡＤＦ201の下面側には画像読取部101の上面側に突出して設けられたケーブルガイド部704が挿入される窪み部705が設けられている。図11に示すように、ＡＤＦ201がヒンジ部材224，225の回動中心350を中心に画像読取部101に対して回動して開放される。その動作を阻害しないように窪み部705を形成する図11の左側で示す画像読取装置４の背面側の背面側壁面705ａ1が形成されている。
【００７１】
本実施形態では、図11に示すように、ＡＤＦ201を画像読取部101に対して最大開放角度θｍまで開放させる。そのとき、窪み部705を形成する壁面705ａのうち背面側壁面705ａ1がケーブルガイド部704の背面側壁面704ａ1に当接するように構成し、ＡＤＦ201の最大開放角度θｍを規制している。
【００７２】
ＡＤＦ201の画像読取部101に対する動作や、その際のケーブルガイド部704の効果等は前記第１実施形態と同様であるため重複する説明は省略する。
【００７３】
本実施形態では、第二光学ボックス501の制御信号及び画像信号を伝送するケーブル703を含めた画像読取部101とＡＤＦ201との間のケーブル702，703を部材を増やすことなく機内配線することが可能となる。
【００７４】
ＡＤＦ201のヒンジ部材224，225は、一般に、図12の比較例に示すように構成される。即ち、画像読取部101の外装に設けられた図３に示す穴部801に差し込まれる挿入部901と、挿入部901に対して回動可能に支持され、ＡＤＦ201に接続される接続部902を有する。ＡＤＦ201の回動規制は接続部902の挿入部901に対する回動角度を規制することで行われるのが一般的である。
【００７５】
ＡＤＦ201の開放時にかかる荷重によって破損しないようにするために接続部902の材料を金属にしたり、強化樹脂にしたりして強度を上げる必要があり、部材のコストアップや製品重量の増加につながっていた。
【００７６】
本実施形態では、ＡＤＦ201の下面側に設けた窪み部705を形成する壁面705ａのうちで画像読取装置４の背面側の背面側壁面705ａ1がケーブルガイド部704の背面側壁面704ａ1に当接することでＡＤＦ201の最大開放角度θｍを規制する。これによりＡＤＦ201の最大開放角度θｍの規制機構を、ＡＤＦ201を回動可能に支持するヒンジ部材224，225に設ける必要がない。このためヒンジ部材224，225を形成する部品の強度を下げることができ、コストダウンが可能となる。
【００７７】
尚、第二光学ボックス501の制御信号及び画像信号の伝送を行うケーブル703の種類としては、ＦＦＣに限定される必要はなく、通常のケーブルや繰り返し屈曲した際に断線し難い性質を持つ細線同軸ケーブル等を用いることも可能である。他の構成は前記第１実施形態と同様に構成され、同様の効果を得ることが出来る。
【符号の説明】
【００７８】
Ｈｉ  …挿入高さ
Ｈｍ  …最大持ち上がり高さ
101   …画像読取部
201   …ＡＤＦ(原稿給送部)
224，225 …ヒンジ部材
302   …ケーブル
303   …ケーブルガイド部
303ａ …壁面
304   …窪み部
304ａ …壁面
350   …回動中心
901ａ …ストッパ部
【図１】
2018050310.tif 000003
【図２】
2018050310.tif 000004
【図３】
2018050310.tif 000005
【図４】
2018050310.tif 000006
【図５】
2018050310.tif 000007
【図６】
2018050310.tif 000008
【図７】
2018050310.tif 000009
【図８】
2018050310.tif 000010
【図９】
2018050310.tif 000011
【図１０】
2018050310.tif 000012
【図１１】
2018050310.tif 000013
【図１２】
2018050310.tif 000014
【手続補正書】
【提出日】平成29年12月5日(2017.12.5)
【手続補正１】
【補正対象書類名】特許請求の範囲
【補正対象項目名】全文
【補正方法】変更
【補正の内容】
【特許請求の範囲】
【請求項１】
原稿台ガラスと、前記原稿台ガラスを通して原稿の画像を読み取る第１の画像読取手段とを備える画像読取ユニットと、
読み取られる原稿を給送する原稿給送ユニットと、
前記原稿給送ユニットに設けられ、回動軸を中心に前記画像読取ユニットに対して前記原稿給送ユニットを回動可能に支持するヒンジユニットと、
を有し、
前記第１の画像読取手段は、前記原稿台ガラスの下を移動可能であり、前記原稿台ガラス上に載置された原稿の画像を読み取る場合は、前記原稿台ガラスの下を移動しながら前記原稿台ガラス上に載置された原稿の画像を読み取り、前記原稿給送ユニットによって給送されている原稿の画像を読み取る場合は、所定位置で前記給送されている原稿の画像を読み取り、
前記ヒンジユニットは、前記回動軸が前記原稿給送ユニットと共に鉛直方向の上方に持ち上げ可能に、前記画像読取ユニットに設けられた穴部に挿入されており、
前記原稿給送ユニットは、第一の姿勢と第二の姿勢と第三の姿勢をとることが可能であり、
前記第一の姿勢は、前記ヒンジユニットの回動軸が前記鉛直方向の第１位置にあり、前記原稿給送ユニットが前記原稿台ガラスを覆っている姿勢であり、
前記第二の姿勢は、前記原稿台ガラスを外部へ露出するように、前記原稿給送ユニットが前記第一の姿勢から前記回動軸を中心に回動した姿勢であり、
前記第三の姿勢は、前記原稿給送ユニットが前記第一の姿勢から前記ヒンジユニットの回動軸が前記第１位置よりも前記鉛直方向の上方である第２位置にあり、且つ前記ヒンジユニットが前記穴部から抜けていない範囲内で最も前記原稿給送ユニットが上方に持ち上がった姿勢であり、
前記原稿給送ユニットが前記第一の姿勢から前記第二の姿勢に変化する際に変形しない中空状のケーブルガイド部、を備え、
前記原稿給送ユニットに設けられた電気部品に接続されたケーブルは前記ケーブルガイドの中空部分に通されて前記画像読取ユニットへとガイドされ、
前記鉛直方向及び前記回動軸の軸線方向の両方に垂直な方向において、前記ヒンジユニットが設けられる側をヒンジユニット側、前記ヒンジユニットが設けられない側を開放端部側として、
前記原稿給送ユニットが前記第二の姿勢及び前記第三の姿勢のいずれの状態においても、前記ケーブルガイド部は、前記開放端部側から前記ヒンジユニット側の方向へ視た場合に前記ケーブルが視えないように前記ケーブルを覆うことを特徴とする画像読取装置。
【請求項２】
前記ヒンジユニットは、前記原稿給送ユニットの前記画像読取ユニットに対する前記鉛直方向の上方への移動を規制するストッパ部を有し、
前記第三の姿勢は、前記ストッパ部によって前記画像読取ユニットの前記鉛直方向の上方への移動を規制された姿勢であることを特徴とする請求項１に記載の画像読取装置。
【請求項３】
原稿台ガラスと、前記原稿台ガラスを通して原稿の画像を読み取る第１の画像読取手段とを備える画像読取ユニットと、
読み取られる原稿を給送する原稿給送ユニットと、
回動軸を有するヒンジユニットであって、前記回動軸を中心に前記画像読取ユニットに対して前記原稿給送ユニットを回動可能に支持するヒンジユニットと、
を有し、
前記第１の画像読取手段は、前記原稿台ガラスの下を移動可能であり、前記原稿台ガラス上に載置された原稿の画像を読み取る場合は、前記原稿台ガラスの下を移動しながら前記原稿台ガラス上に載置された原稿の画像を読み取り、前記原稿給送ユニットによって給送されている原稿の画像を読み取る場合は、所定位置で前記給送されている原稿の画像を読み取り、
前記原稿給送ユニットを前記画像読取ユニットに対して鉛直方向の上方に持ち上げた場合に、前記ヒンジユニットは、前記原稿給送ユニットの前記画像読取ユニットに対する前記鉛直方向の上方への移動を規制するストッパ部を有し、
前記原稿給送ユニットは、第一の姿勢と第二の姿勢と第三の姿勢をとることが可能であり、
前記第一の姿勢は、前記ヒンジユニットの回動軸が前記鉛直方向の第１位置にあり、前記原稿給送ユニットが前記原稿台ガラスを覆っている姿勢であり、
前記第二の姿勢は、前記原稿台ガラスを外部へ露出するように、前記原稿給送ユニットが前記第一の姿勢から前記回動軸を中心に回動した姿勢であり、
前記第三の姿勢は、前記原稿給送ユニットが前記第一の姿勢から前記ヒンジユニットの回動軸が前記第１位置よりも前記鉛直方向の上方である第２位置にあり、且つ前記ストッパ部によって前記原稿給送ユニットの上方への移動が規制された姿勢であり、
前記原稿給送ユニットが前記第一の姿勢から前記第二の姿勢に変化する際に変形しない中空状のケーブルガイド部、を備え、
前記原稿給送ユニットに設けられた電気部品に接続されたケーブルは前記ケーブルガイドの中空部分に通されて前記画像読取ユニットへとガイドされ、
前記鉛直方向及び前記回動軸の軸線方向の両方に垂直な方向において、前記ヒンジユニットが設けられる側をヒンジユニット側、前記ヒンジユニットが設けられない側を開放端部側として、
前記原稿給送ユニットが前記第二の姿勢及び前記第三の姿勢のいずれの状態においても、前記ケーブルガイド部は、前記開放端部側から前記ヒンジユニット側の方向へ視た場合に前記ケーブルが視えないように前記ケーブルを覆うことを特徴とする画像読取装置。
【請求項４】
前記ヒンジユニットは、第１のヒンジユニットと第２のヒンジユニットを含み、
前記回動軸の方向において、前記ケーブルガイド部は、前記第１のヒンジユニットと前記第２のヒンジユニットの間に設けられることを特徴とする請求項１乃至３のいずれか１項に記載の画像読取装置。
【請求項５】
前記ケーブルは、ローラを駆動するためのモータに電気的に接続されることを特徴とする請求項１乃至４のいずれか１項に記載の画像読取装置。
【請求項６】
前記原稿給送ユニットは、第２の画像読取手段を備え、前記ケーブルは、前記第２の画像読取手段に電気的に接続されることを特徴とする請求項１乃至５のいずれか１項に記載の画像読取装置。
【請求項７】
前記原稿給送ユニットが前記第一の姿勢から前記第二の姿勢に変化する際に、前記ケーブルガイド部は、前記原稿給送ユニットの動きと干渉しない形状であることを特徴とする請求項１乃至６のいずれか１項に記載の画像読取装置。
【請求項８】
前記ケーブルは、フレキシブルフラットケーブルであることを特徴とする請求項１乃至７のいずれか１項に記載の画像読取装置。
【請求項９】
前記ケーブルは、細線同軸ケーブルであることを特徴とする請求項１乃至８のいずれか１項に記載の画像読取装置。
【請求項１０】
前記ケーブルガイド部は、前記原稿給送ユニットが前記第一の姿勢から前記第三の姿勢に変化する際に変形しないことを特徴とする請求項１乃至９のいずれか１項に記載の画像読取装置。
【請求項１１】
請求項１乃至１０のいずれか１項に記載の画像読取装置が接続されることを特徴とする複写機。
【手続補正３】
【補正対象書類名】明細書
【補正対象項目名】０００７
【補正方法】変更
【補正の内容】
【０００７】
本発明は前記課題を解決するものであり、その目的とするところは、簡易な構成によってケーブルガイド部により原稿給送ユニットの姿勢によらずケーブルがユーザから視認できる状態を回避することができる画像読取装置を提供するものである。
【手続補正４】
【補正対象書類名】明細書
【補正対象項目名】０００８
【補正方法】変更
【補正の内容】
【０００８】
前記目的を達成するための本発明に係る画像読取装置の代表的な構成は、原稿台ガラスと、前記原稿台ガラスを通して原稿の画像を読み取る第１の画像読取手段とを備える画像読取ユニットと、読み取られる原稿を給送する原稿給送ユニットと、前記原稿給送ユニットに設けられ、回動軸を中心に前記画像読取ユニットに対して前記原稿給送ユニットを回動可能に支持するヒンジユニットと、を有し、前記第１の画像読取手段は、前記原稿台ガラスの下を移動可能であり、前記原稿台ガラス上に載置された原稿の画像を読み取る場合は、前記原稿台ガラスの下を移動しながら前記原稿台ガラス上に載置された原稿の画像を読み取り、前記原稿給送ユニットによって給送されている原稿の画像を読み取る場合は、所定位置で前記給送されている原稿の画像を読み取り、前記ヒンジユニットは、前記回動軸が前記原稿給送ユニットと共に鉛直方向の上方に持ち上げ可能に、前記画像読取ユニットに設けられた穴部に挿入されており、前記原稿給送ユニットは、第一の姿勢と第二の姿勢と第三の姿勢をとることが可能であり、前記第一の姿勢は、前記ヒンジユニットの回動軸が前記鉛直方向の第１位置にあり、前記原稿給送ユニットが前記原稿台ガラスを覆っている姿勢であり、前記第二の姿勢は、前記原稿台ガラスを外部へ露出するように、前記原稿給送ユニットが前記第一の姿勢から前記回動軸を中心に回動した姿勢であり、前記第三の姿勢は、前記原稿給送ユニットが前記第一の姿勢から前記ヒンジユニットの回動軸が前記第１位置よりも前記鉛直方向の上方である第２位置にあり、且つ前記ヒンジユニットが前記穴部から抜けていない範囲内で最も前記原稿給送ユニットが上方に持ち上がった姿勢であり、前記原稿給送ユニットが前記第一の姿勢から前記第二の姿勢に変化する際に変形しない中空状のケーブルガイド部、を備え、前記原稿給送ユニットに設けられた電気部品に接続されたケーブルは前記ケーブルガイドの中空部分に通されて前記画像読取ユニットへとガイドされ、前記鉛直方向及び前記回動軸の軸線方向の両方に垂直な方向において、前記ヒンジユニットが設けられる側をヒンジユニット側、前記ヒンジユニットが設けられない側を開放端部側として、前記原稿給送ユニットが前記第二の姿勢及び前記第三の姿勢のいずれの状態においても、前記ケーブルガイド部は、前記開放端部側から前記ヒンジユニット側の方向へ視た場合に前記ケーブルが視えないように前記ケーブルを覆うことを特徴とする。
【手続補正５】
【補正対象書類名】明細書
【補正対象項目名】０００９
【補正方法】変更
【補正の内容】
【０００９】
上記構成によれば、内部にケーブルが配置されるケーブルガイドであって、原稿給送ユニットの姿勢の変化により変形しないケーブルガイドを備えることにより、簡易な構成によってケーブルガイド部により原稿給送ユニットの姿勢によらずケーブルがユーザから視認できる状態を回避することができる。